(57)【要約】【課題】ノーズクリップを使用しても有効ろ過面積が減少することのない簡易マスクの提供。【解決手段】簡易マスク１がマスク着用者の鼻孔と口許とを覆う被覆部２を有する。被覆部２は、マスク着用者の顔面の前方に向かって凸となるような椀形を呈する通気性のフィルタ部２ａを有し、フィルタ部２ａの上縁部分１０ａからフィルタ部２ａの径方向内側に向かって張り出している張り出し部２ｂにノーズクリップ２６が取り付けられる。【選択図】図２
2005152030.tif 000002
【特許請求の範囲】
【請求項１】
マスク着用者の鼻孔と口許とを覆うことが可能な被覆部と、前記被覆部に取り付けられて前記着用者の頭部および耳部のいずれかに掛け回すことが可能なストラップ部とを有し、前記被覆部を鼻筋の両側に密着させるように変形可能なノーズクリップが前記被覆部に取り付けられている簡易マスクであって、
前記被覆部は、前記簡易マスクの着用状態において、前記着用者の顔面の前方に向かって凸となるような椀形を呈する通気性のフィルタ部と、前記フィルタ部の周縁部分から前記椀形の径方向内側に向かって張り出しているシート状材料によって形成された張り出し部とを有し、前記フィルタ部の前記周縁部分が前記顔面上方に位置する上縁部分と、下方に位置する下縁部分と、側方に位置する両側縁部分とからなり、前記ノーズクリップが前記上縁部分における前記張り出し部に取り付けられていることを特徴とする前記簡易マスク。
【請求項２】
前記下縁部分における前記張り出し部には、この張り出し部を前記着用者の顎部に密着させるように変形させることが可能なチンクリップが取り付けられている請求項１記載の簡易マスク。
【請求項３】
前記張り出し部を形成している前記シート状材料は、前記フィルタ部を形成している通気性シートの少なくとも一部を前記椀形の径方向内側へ折り返したものである請求項１または２記載の簡易マスク。
【発明の詳細な説明】
【技術分野】
【０００１】
この発明は、使い捨てのマスクとして使用するのに好適な簡易マスク、より詳しくは大きなろ過面積を有するノーズクリップ付きの簡易マスクに関する。
【背景技術】
【０００２】
特開２００２−３２５８５５号公報（特許文献１）には、ノーズクリップを有するマスクが開示されている。このマスクでは、口許と鼻孔とを覆うフィルタ部の上辺部分に対してノーズクリップを着脱することができる。
【０００３】
また、可撓性の金属帯片からなるノーズクリップを取り付けた簡易防じんマスクは周知である。
【特許文献１】特開２００２−３２５８５５号公報
【発明の開示】
【発明が解決しようとする課題】
【０００４】
特許文献１に記載のマスクや周知の前記簡易防じんマスクでは、ノーズクリップを使用することによって、フィルタ部として作用する通気性部位の一部分が鼻部とその周辺に密着して実質的には非通気性になるということがある。また、通気性の部位が鼻孔と口許とに極端に接近することによって、フィルタ部の実質的な有効ろ過面積が減少するということもある。こうしたことが原因となって、これらのマスクは、見掛けのろ過面積が大きくても呼吸しにくいということがある。
【０００５】
この発明では、ノーズクリップ付きのマスクに対して、そのノーズクリップの使用によってフィルタ部の有効ろ過面積が減少する、ということがないように改良を施すことを課題にしている。
【課題を解決するための手段および発明の効果】
【０００６】
前記課題解決のために、この発明が対象とするのは、マスク着用者の鼻孔と口許とを覆うことが可能な被覆部と、前記被覆部に取り付けられて前記着用者の頭部および耳部のいずれかに掛け回すことが可能なストラップ部とを有し、前記被覆部を鼻筋の両側に密着させるように変形可能なノーズクリップが前記被覆部に取り付けられている簡易マスクである。
【０００７】
かかる簡易マスクにおいて、この発明が特徴とするところは、次のとおりである。前記被覆部は、前記簡易マスクの着用状態において、前記着用者の顔面の前方に向かって凸となるような椀形を呈する通気性のフィルタ部と、前記フィルタ部の周縁部分の少なくとも一部から前記椀形の径方向内側に向かって張り出しているシート状材料によって形成された張り出し部とを有する。前記フィルタ部の前記周縁部分は、前記顔面上方に位置する上縁部分と、下方に位置する下縁部分と、側方に位置する両側縁部分とからなり、前記ノーズクリップが前記上縁部分における前記張り出し部に取り付けられている。
【０００８】
このように構成された簡易マスクでは、フィルタ部の上縁部分においてフィルタ部の内側に張り出すシート状材料にノーズクリップが取り付けられているから、ノーズクリップを使用しても、通気性のフィルタ部は鼻部やその周辺に密着したり、口許や鼻孔に極端に接近したりすることがない。このような簡易マスクでは、ノーズクリップの使用によってフィルタ部における有効ろ過面積が減少する、ということがない。
【０００９】
この発明の実施態様の一つにおいて、前記下縁部分における前記張り出し部には、この張り出し部を前記着用者の顎部に密着させるように変形させることが可能なチンクリップが取り付けられている。
【００１０】
このように構成される簡易マスクでは、その下縁部分を顎部に対して確実に密着させることができる。
【００１１】
この発明の実施態様の他の一つにおいて、前記張り出し部を形成している前記シート状材料は、前記フィルタ部を形成している通気性シートの少なくとも一部を前記椀形の径方向内側へ折り返したものである。
【００１２】
このように形成される簡易マスクでは、フィルタ部を形成している通気性シートを折り返すことによって張り出し部を得ることができるので、簡易マスクの製造が簡単になる。
【発明を実施するための最良の形態】
【００１３】
添付の図面を参照して、この発明に係る簡易マスクの詳細を説明すると、以下のとおりである。
【００１４】
図１は、使用状態にある簡易マスク１の前方部分を示す図である。簡易マスク１は、被覆部２とストラップ部３とを有する。被覆部２は、使用状態においてほぼ椀形を呈しており簡易マスク着用者４の鼻孔６と口許７とを覆うとともに着用者４の顔面の前方に向かって突出している通気性のフィルタ部２ａと、フィルタ部２ａの内側に位置する張り出し部２ｂ（図２参照）とを有する。ストラップ部３は、被覆部２を着用者４の顔面に密着させることができるように頭部８に掛け回されている。被覆部２は、その縦方向が上方部分１１と下方部分１２とに分かれており、これら両部分１１，１２が図において横方向へ延びる接合部位１３において一体化している。
【００１５】
図２は、図１のＩＩ−ＩＩ線切断面を示す図であるが、着用者４が仮想線で示されている。被覆部２における上方部分１１と下方部分１２とは、通気性の外部被覆シート１６と、通気性の内部被覆シート１７と、これら両シート１６，１７の間に介在するシート状のろ材１８とを有する。両シート１６，１７は、ろ材１８の縁部から延出して重なり合い、溶着、接着、縫合等の接合手段によって一体化して、上方部分１１と下方部分１２それぞれの周縁部２１ａ，２１ｂ，２２ａ，２２ｂを形成している。接合部位１３では、これら周縁部２１ａと２２ａとが重なり合い、溶着、接着、縫合等の接合手段によって一体化している。
【００１６】
図２において、上方部分１１は、接合部位１３から上方へ延びる上方フィルタ部２３と、外部被覆シート１６と内部被覆シート１７とろ材１８とが上方フィルタ部２３の縁部（図３参照）から椀形を呈するフィルタ部２ａの径方向内側へ折り返されてなり顔面に密着している上方張り出し部２４とを有する。上方張り出し部２４では、外部被覆シート１６とろ材１８との間にノーズクリップ２６が位置し、好ましくはそのノーズクリップ２６が外部被覆シート１６に接着また溶着によって取り付けられている。上方フィルタ部２３と上方張り出し部２４との間には、被覆部２の内部へ通じる空隙２５が形成されている。下方部分１２は、接合部位１３から下方へ延びる下方フィルタ部２７と、外部被覆シート１６と内部被覆シート１７とろ材１８とが下方フィルタ部２７の縁部（図３参照）からフィルタ部２ａの径方向内側へ折り返されてなる下方張り出し部２８とを有する。下方張り出し部２８では、外部被覆シート１６とろ材１８との間にチンクリップ２９が位置し、好ましくはそのチンクリップ２９が外部被覆シート１６に接着または溶着によって取り付けられている。下方フィルタ部２７と下方張り出し部２８との間には被覆部２の内部へ通じる空隙３０が形成されている。かような上方フィルタ部２３と下方フィルタ部２７とは、一体となってフィルタ部２ａを形成し、上方張り出し部２４と下方張り出し部２８とは、一体となって張り出し部２ｂを形成している（図３参照）。図示例において、外部被覆シート１６とろ材１８との間に位置しているノーズクリップ２６とチンクリップ２９とは、内部被覆シート１７とろ材１８との間に位置するものであってもよいし、簡易マスク１の内面を形成している内部被覆シート１７の内面１７ａに位置するものであってもよい。
【００１７】
外部被覆シート１６と内部被覆シート１７とには、通気性を有する不織布、織布、熱可塑性プラスチックの網状成形品等の慣用のシート状材料が使用される。ろ材１８には、不織布、織布、綿状の繊維塊等の慣用のシート状材料が使用される。ノーズクリップ２６とチンクリップ２９とには、アルミニウムや真ちゅう、プラスチック等であって指先で塑性変形させることが可能な材料からなる帯片が使用される。かかるノーズクリップ２６とチンクリップ２９とは、上方張り出し部２４と下方張り出し部２８とをそれらが着用者４の顔面に密着するように指先で押圧すると、顔面の起伏に倣うように容易に塑性変形して、これら両張り出し部２４，２８の顔面に対する密着性を高めるように作用する。ストラップ部３は、環状に延びるゴム紐によって形成されている。
【００１８】
図３は、着用者４の顔面から外された簡易マスク１の後方部分を破断して示す図である。簡易マスク１は、その横方向の寸法を二等分する縦中心線Ｃ−Ｃに関して実質的に対称に形成されている。椀形のフィルタ部２ａの縁部は、上縁部分１０ａと、下縁部分１０ｂと、両側縁部分１０ｃとからなり、上方張り出し部２４と下方張り出し部２８とは、外部被覆シート１６と内部被覆シート１７とろ材１８とがこれらの縁部１０ａ，１０ｂ，１０ｃで折曲されて縁部１０ａ，１０ｂ，１０ｃからフィルタ部２ａの径方向内側に向かって張り出すことによって形成されている。図の上方部分１１では、ノーズクリップ２６を有する上方張り出し部２４が図１，２に示されるように着用者４の鼻筋とその両側部分とに倣うように変形しているために、逆Ｖ字形を呈している。また、下方部分１２では、チンクリップ２９を有する下方張り出し部２８が図１，２に示されるように着用者４の顎部に倣うように変形しているために、図３ではゆるやかな弧を画いている。上方部分１１と下方部分１２との両側部分３１，３２は、被覆部２の前面側へ折り返されて、部位３３，３４が被覆部２の前面に接合することにより、ストラップ部３を挿通するための管状部３６，３７を形成している（図１参照）。
【００１９】
図４，５は、畳まれた状態にある簡易マスク１の斜視図と、その斜視図におけるＶ−Ｖ線切断面を示す図である。上方部分１１と下方部分１２とは、大きさと形状とがほぼ同じであって、半円形に近い形状を呈している。それゆえ、簡易マスク１は、接合部位１３で一体化している上方部分１１と下方部分１２とを重ね合わせるようにして畳むことができる。ゴム紐からなるストラップ部３は、収縮して両側部分３１と３１の間、および両側部分３２と３２の間で直状に延びている。図３で逆Ｖ字形を画いていたノーズクリップ２６は、塑性変形して直状かつ平坦に延びている。図５における簡易マスク１は、上方部分１１を矢印Ａで示される上方へ、また下方部分１２を矢印Ｂで示される下方へ変形させて膨らむようにすると、フィルタ部２が椀形になる。フィルタ部２の両側部分では図３に示されているように環状のストラップ部３が図の上下方向であるフィルタ部２ａの縦方向へ延びることに伴い、上方フィルタ部２３と上方張り出し部２４との間に空隙２５が生じ、下方フィルタ部２７と下方張り出し部２８との間に空隙３０が生じる（図２参照）。
【００２０】
このように形成されている簡易マスク１は、これを着用するときに、被覆部２を顔面に当て、ストラップ部３を頭部８に掛け回す。次に、上方部分１１にあっては、上方フィルタ部２３の上からノーズクリップ２６に指を当て、ノーズクリップ２６を含む上方張り出し部２４を鼻筋とその両側部分とに倣うように変形させる。また、下方部分１２にあっては、下方フィルタ部２７の上から、チンクリップ２９に指を当て、チンクリップ２９を含む下方張り出し部２８を顎部に倣うように変形させる。上方部分１１と下方部分１２とから指を離せば、フィルタ部２ａは椀形に復するが、ノーズクリップ２６とチンクリップ２９とが塑性変形した上方張り出し部２４と下方張り出し部２８とは、鼻部と顎部とに当たったままの状態となる。そのときの上方フィルタ部２３と上方張り出し部２４との間、および下方フィルタ部２７と下方張り出し部２８との間には、図２に示されているように、被覆部２の内側に通じる空隙２５，３０が形成されている。このような状態の簡易マスク１では、それを着用したときに、着用者４の前方に向かって凸となるように椀形を呈するフィルタ部２ａが全体的に通気性を有しており、ノーズクリップ２６やチンクリップ２９の使用によってフィルタ部２ａにおける通気可能な有効ろ過面積が減少する、ということがない。
【００２１】
図６は、図１に示された簡易マスク１の接合部位１３，３３，３４における接合を解いて簡易マスク１を平面状に展開したときに得られるマスク１次成形品４１の部分破断平面図であって、内部被覆シート１７が上となり、外部被覆シート１６が下となるように画かれている。また、この図では、ストラップ部３の図示が省略されている。１次成形品４１は、ほぼ円形を呈する外部被覆シート１６と、内部被覆シート１７と、これら両シート１６，１７間に介在するろ材１８とからなるシート状の複合体であって、上下方向の寸法を二等分して横方向へ延びる横中心線Ｄ−Ｄに関して対称である。ろ材１８には、横方向の中央部に横中心線Ｄ−Ｄに沿って延びる幅Ｗの第１スリット４２が形成されている。外部被覆シート１６と内部被覆シート１７とは、ろ材１８の外縁から延出して重なり合い互いに接合することによって、周縁部２１ａと２２ａとを形成するとともに、１次成形品４１の左右両側において横方向へ突出する部分３１，３２を形成している。左右両側のそれぞれにおいて上下方向に並ぶ部分３１と３２との間には、横中心線Ｄ−Ｄに沿って延びる切り込み部４３が形成されている。外部被覆シート１６と内部被覆シート１７とはまた、ろ材１８に形成された第１スリット４２の内側へも延出して重なり合い互いに接合して、周縁部２１ｂと２２ｂとを形成するとともに、幅Ｙを有する第２スリット４５を形成している。かような１次成形品４１は、横中心線Ｄ−Ｄに沿って外部被覆シート１６どうしが向かい合うように折り重ねられ、さらに左右に位置する部分３１それぞれの頂部４６どうしを結ぶ仮想線で示された第１折曲案内線４７と、左右に位置する部分３２それぞれの底部４８どうしを結ぶ仮想線で示された第２折曲案内線４９とに沿って、内部被覆シート１７どうしが重なり合うように折り返される。換言すると、１次成形品４１は、横中心線Ｄ−Ｄが山となり、第１、第２折曲案内線４７，４９が谷となるように折曲される。折曲された１次成形品４１の周縁部２１ａと２２ａとは、互いに向かい合う内部被覆シート１７どうしが接合されて図１の接合部位１３を形成する。周縁部２１ａ，２２ａのうちの部分３１，３２のそれぞれは、仮想線で示された左右一対の第３折曲線４４に沿って外部被覆シート１６の側へ折曲され、斜線で示された部位３３，３４において外部被覆シート１６の前面に接合されて管状部３６，３７を形成する（図１参照）。かくして得られるものはマスク２次成形品であって、このものは、管状部３６，３７にゴム紐が通され、そのゴム紐の両端部が連結されてストラップ部３が形成されると、図４，５の簡易マスク１となる。かような１次成形品において、横中心線Ｄ−Ｄよりも上方の部分および第１折曲案内線４７よりも上方の部分のそれぞれは、図１の簡易マスク１の上方部分１１および上方フィルタ部２３になる。横中心線Ｄ−Ｄよりも下方の部分および第２折曲案内線４９よりも下方の部分のそれぞれは、簡易マスク１の下方部分１２および下方フィルタ部２７のそれぞれになる。第１折曲案内線４７と第２折曲案内線４９との間の部分は、簡易マスク１の上方張り出し部２４と下方張り出し部２８とになる。
【００２２】
図７は、この発明の実施態様の一例を示す図６と同様な図である。図示例の１次成形品４１は、上方フィルタ部２３と、下方フィルタ部２７と、張り出し部６１とがそれぞれ別体に作られている。上方フィルタ部２３と下方フィルタ部２７とは、それぞれが外部被覆シート１６と内部被覆シート１７とろ材１８とからなり、ほぼ半円形を呈している。張り出し部６１は、１枚の通気性または非通気性のシート状材料からなり、中央部に第２スリット４５が形成され、両側に部分３１，３２と切り込み４３とが形成され、第２スリット４５の上方と下方とには、ノーズクリップ２６とチンクリップ２９とが取り付けられている。上方フィルタ部２３と張り出し部６１とは、横方向へ延びる縁部２１ｃと６１ａとが重なり合って互いに接合し、下方フィルタ部２７と張り出し部６１とは、横方向へ延びる縁部２２ｃと６１ｂとが重なり合って互いに接合している。張り出し部６１は、図６における上方張り出し部２４と下方張り出し部２８とを兼ねるものであるが、これら張り出し部２４，２８には吸気をろ過する機能が必ずしも要求されないから、張り出し部６１のシート状材料には非通気性のものでも通気性のものでも使用することができる。また、そのシート材料には、弾性的な伸長性を有するものを使用することもできる。例えば、厚さ０．１〜１ｍｍ程度を有する柔軟で肌触りのよい不織布や発泡ポリウレタン、発泡ポリエチレン等のシート材料を使用することができる。また、そのシート材料には、吸汗性のものを使用することもできる。図７の例において、上方フィルタ部２３または下方フィルタ部２７における外部被覆シート１６および内部被覆シート１７の少なくとも一方を、図の下方または上方へ延長して下方フィルタ部２７または上方フィルタ部２３につなげることによって、例示の張り出し部６１を形成しているシート材料に代えることもできる。
【００２３】
この発明は、チンクリップ２９を省いて実施することが可能であり、そのときの下方張り出し部２８は弾性的に伸長可能であることが好ましい。ストラップ部３は、頭部８ではなくて着用者４の耳部に掛け回すものであってもよい。図示例の帯状のノーズクリップ２６は、鼻部を両側から挟むことができるように逆Ｖ字形ないし逆Ｕ字形に予め形成されていて、その開角を弾性的に変化させることが可能なものに代えることもできる。
【産業上の利用可能性】
【００２４】
この発明によれば、ノーズクリップを使用しても有効ろ過面積が減少することのない簡易マスクの生産が可能になる。
【図面の簡単な説明】
【００２５】
【図１】使用状態にある簡易マスクを前方から見たときの図。
【図２】図１のＩＩ−ＩＩ線切断面を示す図。
【図３】簡易マスクを後方から見たときの部分破断斜視図。
【図４】畳まれた簡易マスクの斜視図。
【図５】図４のＶ−Ｖ線切断面を示す図。
【図６】展開した簡易マスクの平面図。
【図７】実施態様の一例を示す図６と同様な図。
【符号の説明】
【００２６】
１    簡易マスク
２    被覆部
２ａ    フィルタ部
２ｂ    張り出し部
３    ストラップ部
１０ａ  上縁部分
１０ｂ  下縁部分
１０ｃ  側縁部分
２６    ノーズクリップ
２９    チンクリップ
６１    張り出し部
【図１】
2005152030.tif 000003
【図２】
2005152030.tif 000004
【図３】
2005152030.tif 000005
【図４】
2005152030.tif 000006
【図５】
2005152030.tif 000007
【図６】
2005152030.tif 000008
【図７】
2005152030.tif 000009